(57)【要約】      （修正有）【課題】多種類のデジタル情報デバイスと接続可能で、内部のデータに直接アクセスでき、デジタル情報デバイスで直接メモリカード内部のデータを読み取ることもでき、異なる規格のオペレーティングシステムと互換性があるマルチメディア接続読取装置。【解決手段】該殻体に収納槽と接続座体を設け、該回路板に挿入槽、液晶ディスプレイ、接続ポート、システム接続ポート、スイッチ、CPU、伝送制御回路、電池、コネクタを設け、伝送制御回路とCPUを相互に接続し、スイッチを介して接続座体、接続ポート及び挿入槽と相互に接続し、CPUにより液晶ディスプレイに表示する情報の制御と、カード挿入槽と接続座体、接続ポート間のデータ伝送制御を行い、携帯デジタルデバイスを収納槽内の接続座体に挿入し、携帯デジタルデバイスでメモリカード内部のデータにアクセスする。【選択図】図３
0003117405.tif 000002
【実用新案登録請求の範囲】
【請求項１】
マルチメディア接続読取装置Dは、殻体D1と、底板D2とから成る凾体に回路板Eを収容した構成から成り、この殻体D1は収納槽D4と接続座体D3を備え、回路板Eは挿入槽E1、液晶ディスプレイE2、接続ポートE3、システム接続ポートE4、スイッチE5、CPU  E6、伝送制御回路E7、電池E8とコネクタE9を備え、伝送制御回路E7とCPU  E6が相互に接続され、さらにスイッチE5と殻体D1に設けた接続座体D3、接続ポートE3及びカード挿入槽E1を相互に接続し、前記CPU  E6を介し液晶ディスプレイE2に表示する情報とカード挿入槽E1と接続座体D3、接続ポートE3間のデータ伝送制御を行う構成としたことを特徴とするマルチメディア接続読取装置。
【請求項２】
前記回路板の電池が回路板上の各部品の作業電圧ソースを提供するとともに、同時に、コネクタにアダプタを接続し、コンセントから電池に充電することができる構成としたことを特徴とする請求項１に記載のマルチメディア接続読取装置。
【請求項３】
前記伝送制御回路が接続ポートを制御し、コンピュータ内の電源を電池に充電させる構成としたことを特徴とする請求項１に記載のマルチメディア接続読取装置。
【請求項４】
前記電池がマンガン電池、アルカリ電池、水銀電池、ニッケル水素電池、リチウム電池、充電電池及び関連電子電器製品に使用する電源供給電池である構成としたことを特徴とする請求項１または２に記載のマルチメディア接続読取装置。
【請求項５】
前記挿入槽が、CFカード(Compact
Flash Memory Card)、Type-I CFカード(Compact Flash Memory Card)、Type-II CFカード(Compact
Flash Memory Card)、MSカード(Memory Stick Memory Card)、MGMS(Magic Gate Memory Stick
Memory Card)、Dou-MSカード(Duo Memory Stick Memory Card)、Pro-MSカード(Pro Memory Stick
Memory Card)、MMCカード(Multi Media Memory Card)、MMC4.0カード(Multi Media Memory Card
Ver 4.0)、RSMMCカード(Reduced Size Multi Media Memory Card)、SDカード(Secure Digital
Memory Card)、Mini SDカード(Mini Secure Digital Memory Card)、SMカード(Smart Media
Memory Card)、Xdカード(eXtreme Digital Picture Memory Card)及び関連デジタル情報保存メディアを含むメモリカードに対応する構成としたことを特徴とする請求項１に記載のマルチメディア接続読取装置。
【請求項６】
前記接続ポートと接続座体が、USB接続ポート(Universal
Serial Bus)、IEEE1394(Institute of Electrical and Electronic Engineers Standard
Bus Interface 1394)とSATA(Serial Advanced Technology Attachment)及び関連電子電機デジタルデータ伝送接続ポートである構成としたことを特徴とする請求項１に記載のマルチメディア接続読取装置。
【請求項７】
前記デジタルデバイスがPDA(Personal
Digital Assistant)、デジタルポータブルプレイヤー、携帯型ハードディスク、デジタルカメラ、ノートブック型コンピュータ、デスクトップ型コンピュータ、プリンタ、多機能事務機及び関連コンピュータデジタル情報デバイスである構成としたことを特徴とする請求項１に記載のマルチメディア接続読取装置。
【考案の詳細な説明】
【技術分野】
【０００１】
本考案は、マルチメディア接続読取装置に関し、詳細には、携帯デジタルデバイスを収納槽内の接続座体に挿入するとき、伝送制御回路の機能を介し、携帯デジタルデバイスにメモリカード内部のデータにアクセスさせ、また、接続ポートにその他異なるタイプの携帯デジタルデバイスを接続でき、さらに、スイッチによりマルチメディア接続読取装置の伝送制御回路を起動するか否かを設定でき、さらにコントローラにより異なるタイプのコンピュータシステムに対応し使用することができる、マルチメディア接続読取装置に関する。
【背景技術】
【０００２】
図１に示すように、一般的にデジタルポータブルプレイヤーB1を使用するとき、メモリカードG内部のデータを読み取る必要がある場合、まずデジタルポータブルプレイヤーB1を接続ケーブルB11でコンピュータAに接続した後、さらにカードリーダCを接続ケーブルC1でコンピュータAに接続し、コンピュータAを転送ポイントとしてデータ伝送を行うが、これでは使用上面倒であるだけでなく、コンピュータまたはノートブック型コンピュータを備えている場所でしかデータ伝送を行うことができない。
【０００３】
さらに、現行のメモリカードGは種類が非常に多く、カードリーダCは一般的にコンピュータAまたはノートブック型コンピュータ等の装置でのみ読み取ることができ、多種のデジタル情報設備にとっては、内部のデータを外部のメモリカードGに保存するとき面倒が避けられない。同時に、カードリーダCとメモリカードGの体積は軽く小さいものであり、携帯に便利であるが、直接デジタルポータブルプレイヤーB1等の携帯型デジタル情報設備と接続することができず、使用時非常に不便である。
【考案の開示】
【考案が解決しようとする課題】
【０００４】
本考案の目的は、多種類のデジタル情報デバイスと接続でき、その内部のデータに直接アクセスできると共に、デジタル情報デバイスで直接メモリカード内部のデータを読み取ることができ、また異なる規格のオペレーティングシステムと互換性がある、マルチメディア接続読取装置を提供することにある。
【課題を解決するための手段】
【０００５】
本考案のマルチメディア接続読取装置は、殻体、底板、回路板から構成され、該回路板を殻体内に設置した後、該底板を被せて成り、そのうち、該殻体に収納槽と接続座体を設け、該回路板に挿入槽、液晶ディスプレイ、接続ポート、システム接続ポート、スイッチ、CPU、伝送制御回路、電池、コネクタを設け、伝送制御回路とCPUを相互に接続し、さらにスイッチを介し接続座体、接続ポート及び挿入槽と相互に接続し、同時にCPUにより液晶ディスプレイに表示する情報の制御と、カード挿入槽と接続座体、接続ポート間のデータ伝送制御を行い、携帯デジタルデバイスを収納槽内の接続座体に挿入し、伝送制御回路の機能により携帯デジタルデバイスでメモリカード内部のデータにアクセスすることができ、さらに、スイッチを介し伝送制御回路の起動を制御し、システム接続ポートが異なるタイプのコンピュータハードウェアシステムとオペレーションシステムに対応し、接続ケーブルで接続してコンピュータでメモリカード内部のデータを読み取ることができることを特徴とする。
【考案の効果】
【０００６】
本考案の進歩性と実用性をよりはっきりと示すため、以下、従来品と比較して分析する。
《従来の欠点》
１、カードリーダはPDA(Personal Digital Assistant)やデジタルポータブルプレイヤー、携帯型ハードディスク等のデジタル情報デバイスと直接接続することができない。
２、カードリーダは異なるオペレーティングシステムに対応し内部のデータにアクセスすることができない。
３、カードリーダ間で相互に接続しデータにアクセスすることができない。
《本考案の利点》
１、PDA(Personal Digital ssistant)やデジタルポータブルプレイヤー、携帯型ハードディスク等、さまざまな種類のデジタル情報デバイスと接続できる。
２、デジタル情報デバイス内部のデータに直接アクセスできる。
３、デジタル情報デバイスで直接メモリカード内部のデータを読み取ることができる。
４、異なる規格のオペレーティングシステムと互換性がある。
５、進歩性と実用性、利便性を備えている。
６、産業的競争力を向上できる。
【考案を実施するための最良の形態】
【０００７】
本考案のマルチメディア接続読取装置は、図２、図２−１、図３に示すように、マルチメディア接続読取装置Dは殻体D1、底板D2と回路板Eから構成され、回路板Eを殻体D1内に設置した後、底板D2を被せて成り、そのうち、この殻体D1は収納槽D4と接続座体D3を備え、回路板Eは挿入槽E1、液晶ディスプレイE2、接続ポートE3、システム接続ポートE4、スイッチE5、CPU  E6、伝送制御回路E7、電池E8とコネクタE9を備え、そのうち、図４に示すように、伝送制御回路E7とCPU  E6が相互に接続され、さらにスイッチE5と接続座体D3、接続ポートE3及び挿入槽E1を相互に接続し、同時にCPU  E6を介し液晶ディスプレイE2に表示する情報とカード挿入槽E1と接続座体D3、接続ポートE3間のデータ伝送制御を行うことを特徴とする。
【０００８】
PDA(Personal Digital Assistant)やデジタルポータブルプレイヤー、携帯型ハードディスク等装置のような携帯デジタルデバイスBを収納槽D4内の接続座体D3に挿入するとき、メモリカードGをカード挿入槽E1内にそうにゅうした後、伝送制御回路E7の機能を介し携帯デジタルデバイスBにメモリカードG内部のデータを読み取らせ、また、接続ポートE3はその他異なるタイプの携帯デジタルデバイスBと接続することができ、さらに、スイッチE5を介しマルチメディア接続読取装置Dの伝送制御回路E7を起動するか否かを設定することができる。
【０００９】
そのうち、システム接続ポートE4は、MAC(Macintosh)等の異なるシステムタイプのコンピュータシステムに対応することができ、接続ケーブルで接続し、コンピュータに直接メモリカード内部のデータを読み取らせる。
【００１０】
そのうち、回路板Eの電池E8は、回路板E上の各部品の作業電圧ソースとなり、同時に、コネクタE9にアダプタFを接続した後(図９参照)、室内のコンセントから電池に充電することができ、または、マルチメディア接続読取装置Dとコンピュータ等の装置を接続するとき、伝送制御回路E7を介して接続ポートE3を制御し、コンピュータ内の電源を電池E8の充電に充てることができる。
【００１１】
本考案の実施方式は、図５に示すように、デジタルポータブルプレイヤーB1をマルチメディア接続読取装置Dの収納槽D4内に挿入し、接続座体D3とこの携帯デジタルデバイスBを接続した後、メモリカードGをカード挿入槽E1内に挿入すると、携帯デジタルデバイスBでメモリカードG内部のデータにアクセスしたり、データをメモリカードG内部に保存したりすることができる。
【００１２】
図６に示すように、携帯型ドライブB2をマルチメディア接続読取装置Dの接続ポートE3に挿入し、さらに、メモリカードGをカード挿入槽E1内に挿入すると、携帯型ドライブB2でメモリカードG内部のデータにアクセスしたり、データをメモリカードG内部に保存したりすることができる。
【００１３】
図７に示すように、デジタルカメラHの接続ケーブルH1をマルチメディア接続読取装置Dの接続ポートE3に接続し、さらに、メモリカードGをカード挿入槽E1内に挿入すると、デジタルカメラH内部に保存された画像音声ファイルをメモリカードG内部に保存することができ、且つ、液晶ディスプレイE2に伝送するファイルの形式、名称、サイズ等の情報といった上述の接続のデータ伝送動作に関する状態を表示することができる。
【００１４】
図８に示すように、マルチメディア接続読取装置Dのシステム接続ポートE4は、接続ケーブルDを用いコンピュータAに接続すると、コンピュータAでメモリカードG内のデータの読み取りと書き込み等の動作を行うことができ、また、挿入槽E1は異なる規格のメモリカードGに対応する複数の挿入槽E1を設け、コンピュータAで同時に異なる規格メモリカードG内部のデータを読み取ることができる。
【図面の簡単な説明】
【００１５】
【図１】従来の携帯型デジタル保存デバイスとカードリーダの接続を示す立体斜視図である。
【図２】本考案の立体正面斜視図である。
【図２−１】本考案の立体背面斜視図である。
【図３】本考案の立体分解図である。
【図４】本考案の回路を示すダイアグラムである。
【図５】本考案の携帯デジタルデバイスとの接続を示す立体斜視図である。
【図６】本考案の携帯型ドライブとの接続を示す立体斜視図である。
【図７】本考案のデジタルカメラとの接続を示す立体斜視図である。
【図８】本考案のコンピュータとの接続を示す立体斜視図である。
【図９】本考案のアダプタを示す立体背面斜視図である。
【符号の説明】
【００１６】
A        コンピュータ
B        携帯デジタルデバイス
B１      デジタルポータブルプレイヤー
B１１    接続ケーブル
B2      携帯型ドライブ
C        カードリーダ
C1      接続ケーブル
D        マルチメディア接続読取装置
D１      殻体
D２      底板
D3      接続座体
D4      収納槽
E        回路板
E1      挿入槽
E2      液晶ディスプレイ
E3      接続ポート
E4      システム接続ポート
E5      スイッチ
E6      CPU
E7      伝送制御回路
E8      電池
E9      コネクタ
F        アダプタ
G        メモリカード
H        デジタルカメラ
H1      接続ケーブル    
【図１】
0003117405.tif 000003
【図２】
0003117405.tif 000004
【図２−１】
0003117405.tif 000005
【図３】
0003117405.tif 000006
【図４】
0003117405.tif 000007
【図５】
0003117405.tif 000008
【図６】
0003117405.tif 000009
【図７】
0003117405.tif 000010
【図８】
0003117405.tif 000011
【図９】
0003117405.tif 000012
【手続補正書】
【提出日】平成17年10月6日(2005.10.6)
【手続補正１】
【補正対象書類名】実用新案登録請求の範囲
【補正対象項目名】請求項５
【補正方法】変更
【補正の内容】
【請求項５】
前記挿入槽がデジタル情報保存メディアを含むメモリカードに対応する構成としたことを特徴とする請求項１に記載のマルチメディア接続読取装置。
【手続補正２】
【補正対象書類名】明細書
【補正対象項目名】０００６
【補正方法】変更
【補正の内容】
【０００６】
本考案の進歩性と実用性をよりはっきりと示すため、以下、従来品と比較して分析する。
《従来の欠点》
１、カードリーダはデジタルポータブルプレイヤー、携帯型ハードディスク等のデジタル情報デバイスと直接接続することができない。
２、カードリーダは異なるオペレーティングシステムに対応し内部のデータにアクセスすることができない。
３、カードリーダ間で相互に接続しデータにアクセスすることができない。
《本考案の利点》
１、デジタルポータブルプレイヤー、携帯型ハードディスク等、さまざまな種類のデジタル情報デバイスと接続できる。
２、デジタル情報デバイス内部のデータに直接アクセスできる。
３、デジタル情報デバイスで直接メモリカード内部のデータを読み取ることができる。
４、異なる規格のオペレーティングシステムと互換性がある。
５、進歩性と実用性、利便性を備えている。
６、産業的競争力を向上できる。
【手続補正３】
【補正対象書類名】明細書
【補正対象項目名】０００８
【補正方法】変更
【補正の内容】
【０００８】
デジタルポータブルプレイヤー、携帯型ハードディスク等装置のような携帯デジタルデバイスBを収納槽D4内の接続座体D3に挿入するとき、メモリカードGをカード挿入槽E1内にそうにゅうした後、伝送制御回路E7の機能を介し携帯デジタルデバイスBにメモリカードG内部のデータを読み取らせ、また、接続ポートE3はその他異なるタイプの携帯デジタルデバイスBと接続することができ、さらに、スイッチE5を介しマルチメディア接続読取装置Dの伝送制御回路E7を起動するか否かを設定することができる。